(57)【要約】【課題】本発明は、米等の穀物類を収納・包装して輸送・保管のために袋体を積み重ねた場合、袋内に封入された空気が袋の外へスムーズに排気できることにより、嵩張り、積み重ねた包装袋が不安定となり袋が滑り、荷崩れの発生や、落下などによる破袋を防止可能な、また、袋に部分的に接着する製袋工程の管理や包装機の切り替え等の製造上の問題ない、かつ、袋を構成する材料に制限されない、通気性包装袋を提供することを目的とする。【解決手段】内容物として米等の穀物類を収納する通気性包装袋において、  前記通気性包装袋の袋長手方向のサイドシール部の所定長さの上端部および下端部は通常の直線状シール部からなり、かつ、前記上端部および下端部を除く袋長手方向のサイドシール部の所定長さの中央部は連通する通気路を形成してなる特殊形状のパターンシール部からなることを特徴とする通気性包装袋である。【選択図】図１
2005206183.tif 000002
【特許請求の範囲】
【請求項１】
内容物として米等の穀物類を収納する通気性包装袋において、
前記通気性包装袋の袋長手方向のサイドシール部が、所定長さの上端部および下端部は通常の直線状シール部からなり、かつ、前記上端部および下端部を除く袋長手方向の所定長さの中央部は通気部を形成してなる特殊形状のパターンシール部からなることを特徴とする通気性包装袋。
【請求項２】
前記サイドシール部の上端部および下端部に設けた通常の直線状シール部の所定長さが、袋長手方向の外寸法の１５〜３５％の範囲の長さで、前記サイドシール部の中央部の通気部を形成してなる特殊形状のパターンシール部の所定長さが、袋長手方向外寸法の３０〜７０％の範囲の長さであることを特徴とする請求項１記載の通気性包装袋。
【請求項３】
前記パターンシール部が、袋長手方向のサイドシール部の内容物側に第１のシール線と、縁部側に第２のシール線とを設け、該シール線がシール部と非シール部とを交互に配してなり、前記シール部と非シール部とを繰り返すパターンからなることを特徴とする請求項１または２記載の通気性包装袋。
【請求項４】
前記第１のシール線のシール部の長さが、１５〜４５ｍｍの範囲であって、一方、前記第２のシール線のシール部の長さが、５〜１０ｍｍの範囲であることを特徴とする請求項１〜３のいずれか１項にに記載の通気性包装袋。
【請求項５】
前記シール部の形状が、ほぼ矩形形状であることを特徴とする請求項１〜４のいずれか１項に記載の通気性包装袋。
【請求項６】
前記サイドシール部の上端部および下端部に設けられた通常の直線状シール部が、３本の直線状シールからなることを特徴とする請求項１〜５のいずれか１項に記載の通気性包装袋。
【発明の詳細な説明】
【技術分野】
【０００１】
本発明は、米等の穀物類を収納・包装する流通、販売用の袋であって、袋長手方向のサンドシール部の所定の長さの中央部に通気部を形成してなる特殊形状のパターンシール部に空気抜け部を設けた通気性包装袋に関するものである。
【背景技術】
【０００２】
流通、販売に使用される米等の穀物類を収納・包装する包装袋は、穀物が５ｋｇや１０ｋｇ等所定量づつ袋体に分別包装した上で供給されており、この袋体としては各種合成樹脂シートを用いて形成されたものが使用されている。従来、この種の袋体に関しては、収容した穀物の鮮度を維持する、あるいは輸送・保管のために袋体を積み重ねた場合でも積み重ねた包装袋が不安定となり袋が滑り荷崩れが発生しないように、また破袋しないようにする等の観点から、収容された穀物等から発生するガスや、穀物の収容時に同時に封入された空気を排出するための下記のような工夫がなされている。
（１）袋の側部に小さな空気抜け穴をあける。
（２）通気性のあるフィルムを一部に使用する。
（３）袋を構成するフィルム材に通気用の平行する多数切れ目を形成する
（３）ヒートシール部の一部に空気抜き用の未シール部を設ける。といった方法が採られている。
【０００３】
前記の方法（１）では、袋体に微細な孔（多くの場合、内径０．５〜３ｍｍ程度）を設けたものが提案されている。しかしながら、このような袋体においては、袋体内のガス・空気を排出することは可能とはなるものの、同時に外気が袋体内に容易に進入可能なものとなってしまうため不適となる。つまり、場合によっては湿気の進入をも許容せざるを得ない袋体となってしまうことから、穀物の鮮度保持上等の観点では十分なものとはなっていない。この空気抜け穴より虫等の異物が侵入したり雨等かぶった際に水が入る可能性がある。
【０００４】
また、前記（２）の方法では虫等の異物の侵入はないものの、雨等の水をかぶった際の水の浸入を防止することは出来ず、通気性フィルム部が含水することによりカビ等が発生する可能性がある。
【０００５】
また、前記（３）方法では、この袋体は、フィルム材に形成した多数の切れ目によって袋体の内外の通気が可能であるが、フィルム材に直接的に形成された切れ目によって脱気する構造であるから、切れ目部分においてフィルム材の引っ張り強度が低下してしまう。このため、運搬時に袋体を投げたり、あるいは、保管時などにおいて袋体を積み上げた際、切れ目部分に応力が加わると、切れ目が避けて内部に収容する米が抜す出す虞れがあるとともに、切れ目が設定した巾より広くなることから、切れ目から埃や細かな塵などが直接入り込み易くなるとうい問題があった。
【０００６】
さらに、前記（４）方法では虫等の異物の侵入、雨等の水をかぶった際の水の侵入共に防ぐことができるものの、従来のヒートシール部の形状では空気抜け速度が遅く、輸送・保管のために袋体を積み重ねた場合、嵩張り、積み重ねた袋体が不安定となり袋が滑り荷崩れが発生したり、破袋したり等の実用上問題があった。
【０００７】
そこで、輸送・保管のために袋体を積み重ねた場合、嵩張り、積み重ねた包装袋が不安定となり袋が滑り荷崩れの発生や、落下などによる破袋を防止可能な、さらに小虫の埃などの進入を阻止できる米等の穀物類を収納・包装する袋に要求される通気性機能を有する
包装袋の開発が望まれている。
【０００８】
以下に特許文献を記す。
【特許文献１】特開２０００−２５７９０号公報
【特許文献２】特開２０００−２１１０４２号公報
【特許文献３】実用新案登録第３０６８３４０号公報  上記の機能を有する袋体として、例えば、図８に示すように、ヒートシールによりなる側縁シール帯８（８−１，８−２）が内外に離間した２列に形成されている。そして、この２列の内シール帯８−１、外シール帯８−２間を通気路７として規定するとともに、この通気路７に連通する脱気口９，１０をシール帯の部分的な未シール部として、シール帯間での非整列の段差位置で、各シール帯にそれぞれ設けている包装用袋体Ｂが提案されている（特許文献１）。
【０００９】
また、図９（ａ）、（ｂ）に示すように、シート状部材の縁部同士を帯状に貼り合わせるシート体の貼着方法において、その貼り合わせ部は、貼り合わせ部の延伸方向に沿って断続的に貼着された複数の貼着条１２ａ，１２ｂと、その貼着条同士間に設けられた未着の空洞部１１とにより構成され、各貼着条は未着の通気孔１３ａ，１３ｂを有し、その通気孔１３ａ，１３ｂは前記空洞部１１に連通させた上で貼着されていることを特徴とするシート体の貼着方法とし、これを袋体のシール方法に利用して通気性袋体Ｅが提案されている（特許文献２）。
【００１０】
さらに、図１０に示すように、包装袋の袋口を封止する第１、第２の熱溶着部１５，１６を設ける。この第１、第２の熱溶着部１５，１６を断続的に形成し、これらのシール部１５（１５Ａ，１５Ｂ，１５Ｃ），１６（１６Ａ，１６Ｂ）を交互に段違い状に配列して、各シール部１５（１５Ａ，１５Ｂ，１５Ｃ），１６（１６Ａ，１６Ｂ）間に非溶着部１７が連通する通気路１７を形成する。これにより包装袋内の空気は、通気路１７から外部に抜けるとともに、通気路１７の両端が熱溶着部１５，１６となるから包装袋の内圧が高くなっても、通気路１７が裂けにくくなる包装袋Ｆが提案されている（特許文献３）。
【００１１】
上記で提案されている包装袋（袋体）のいずれも空気を抜く通気路を設ける構成の包装袋に関するものであるが、内容物の重量が５ないし１０ｋｇの内容量の重量物を収納・包装する場合、包装袋の材質が、ポリエチレン／ポリエチレンからなる２層構成の汎用基材を用いた場合、特許文献１、２で提案されている袋長手方向のシール部（サイドシール部）に空気を抜く通気路を設けた場合は、内容物を収納・包装して輸送、保管のために、特に包装袋を積み重ねた場合、落下による破袋の問題があった。
【００１２】
一方、特許文献３で提案されている天もしくは地シール部に特殊シール部を設けた場合は、天地のシール位置の取り違え等シール位置の管理や包装機の切り替え等の製造上の問題があった。
【発明の開示】
【発明が解決しようとする課題】
【００１３】
本発明は、上記の問題点を解決するためになされたものであって、水分や害虫の袋内への侵入防止し、排気通路から水が侵入して内容物を濡らす等の虞のない、米等の穀物類を収納・包装して輸送・保管のために袋体を積み重ねた場合、袋内に封入された空気が袋の外へスムーズに排気できることにより、嵩張り、積み重ねた包装袋が不安定となり袋が滑り、荷崩れの発生や、落下などによる破袋を防止可能な、また、袋に部分的に接着する製
袋工程の管理や包装機の切り替え等の製造上の問題ない、かつ、袋を構成する材料に制限されない、米等の穀物類を収納・包装する通気性包装袋を提供することを目的とする。
【課題を解決するための手段】
【００１４】
上記の目的を達成するために、すなわち、
請求項１に係る発明は、
内容物として米等の穀物類を収納する通気性包装袋において、
前記通気性包装袋の袋長手方向のサイドシール部の所定長さの上端部および下端部は通常の直線状シール部からなり、かつ、前記上端部および下端部を除く袋長手方向のサイドシール部の所定長さの中央部は連通する通気路を形成してなる特殊形状のパターンシール部からなることを特徴とする通気性包装袋である。
【００１５】
請求項２に係る発明は、
前記サイドシール部の上端部および下端部に設けた通常の直線状シール部の所定長さが、袋長手方向の外寸法の１５〜３５％の範囲の長さで、前記サイドシール部の中央部の連通する通気路を形成してなる特殊形状のパターンシール部の所定長さが、袋長手方向外寸法の３０〜７０％の範囲の長さであることを特徴とする請求項１記載の通気性包装袋である。
【００１６】
請求項３に係る発明は、
前記パターンシール部が、袋長手方向のサイドシール部の内容物側に第１のシール線と、縁部側に第２のシール線とを設け、該シール線がシール部と非シール部とを交互に配列してなり、前記シール部と非シール部とを繰り返すパターンからなることを特徴とする請求項１または２記載の通気性包装袋である。
【００１７】
請求項４に係る発明は、
前記第１のシール線のシール部の長さが、１５〜４５ｍｍの範囲であって、一方、前記第２のシール線のシール部の長さが、５〜１０ｍｍの範囲であることを特徴とする請求項１〜３のいずれか１項に記載の通気性包装袋である。
【００１８】
請求項５に係る発明は、
前記直線状およびパターンシール部の形状が、ほぼ矩形形状であることを特徴とする請求項１〜４のいずれか１項に記載の通気性包装袋である。
【００１９】
請求項６に係る発明は、
前記サイドシール部の上端部および下端部に設けられた通常の直線状シール部が、３本の直線状シールからなることを特徴とする請求項１〜５のいずれか１項に記載の通気性包装袋である。
【発明の効果】
【００２０】
本発明の通気性包装袋は、袋長手方向のサイドシール部が、所定長さの上端部および下端部は通常の直線状シール部からなり、前記上端部および下端部を除く、袋長手方向の所定長さの中央部は通気部を形成してなる特殊形状のパターンシール部からなる構成であることから下記の効果を奏するものである。
（１）米等の穀物類を収納・包装して流通、販売の過程で、パレット上に段積みする際、パレタイズ適性（重積み適性）に優れ、圧力がかかると自動的にスムーズにエアーが抜けることから、嵩張り、積み重ねた包装袋が不安定となり袋が滑り、荷崩れの発生防止、破袋防止効果が大きい。
（２）得意先での製袋包装機の設定が容易で切り替えが少ない。
（３）内容物の漏れがない。
（４）袋外部からの水分や埃の排気通路からの侵入がない。
（５）袋外部に排出されたエアーの逆戻りがない。
【発明を実施するための最良の形態】
【００２１】
本発明の通気性包装袋の好ましい一実施形態について図面を参照して説明する。図１は、本発明の通気性包装袋の一例を示す平面図である。図２は、本発明の一実施例としての通気性包装袋の平面図である。
【００２２】
図１に示すように、本発明の通気性包装袋Ａ１は、両サイドシール部４，４′と地シール部５と米等の穀物類を収納して密封する開口部６とから構成されており、袋長手方向のサイドシール部４，４′の所定長さの上端部Ｕおよび下端部Ｄは、例えば、３本の直線状シール線３−１，３−２，３−３からなる通常の直線状シール部３からなり、かつ、前記上端部Ｕおよび下端部Ｄを除く袋長手方向の所定長さの中央部Ｃは、袋長手方向のサイドシール部の内容物側に第１のシール線Ｌ１と、縁部側に第２のシール線Ｌ２とを設け、その各々のシール線がシール部１ａ，２ａと非シール部１ｂ，２ｂとを交互に配列してなる繰り返すパターンからなり、非シール部１ｂ，２ｂからなる通気部を形成してなる特殊形状のパターンシール部からなる通気性包装袋である。
【００２３】
上記で例示した本発明の通気性包装袋Ａ１の場合は、袋長手方向の両サイドにシール部を設けた構成の例を示したが、袋長手方向の両サイドのいずれか一方に設けても本発明における同様の効果が得られる。
【００２４】
また、図２には、本発明の一実施例としての通気性包装袋を示したもので、その通気性包装袋Ａ２は、図１に示した構成と同様の通気性包装袋であって、袋外寸法が、縦５７０ｍｍ、横３６０ｍｍのサイズで、３本の直線状シール線３−１，３−２，３−３からなる通常の直線状シール部３を設けた上端部Ｕおよび下端部Ｄが、各々１５０ｍｍであり、内容物側に第１のシール線Ｌ１と、縁部側に第２のシール線Ｌ２とを設け、そのシール線がシール部１ａ，２ａと非シール部１ｂ，２ｂとを交互に配してなる繰り返すパターンからなり、非シール部１ｂ，２ｂからなる通気部を形成してなる特殊形状のパターンシール部を設けた中央部Ｃの長さが２７０ｍｍの通気性包装袋である。
【００２５】
本発明者は、米等の穀物類を収納・包装して流通、販売の過程で、パレット上に段積みする際、パレタイズ適性（重積み適性）に優れ、圧力がかかると自動的にスムーズにエアーが抜けることから、嵩張り、積み重ねた包装袋が不安定となり袋が滑り、荷崩れの発生防止、破袋防止効果が大きい、得意先での製袋包装機の設定が容易で切り替えが少ない、内容物の漏れがない、袋外部からの水分や埃の排気通路からの侵入がない、袋外部に排出されたエアーの逆戻りがない等の条件に適合する穀物類を収納・包装する通気性包装袋について種々研究の結果、図３、図４および図５に示す、袋長手方向のサイドシール部の所定長さの上端部および下端部の通常の直線状シール部を除く袋長手方向のサイドシール部の所定長さの中央部は連通する通気路を形成してなる特殊形状からなるパターンシール部として、袋長手方向のサイドシール部の内容物側に第１のシール線Ｌ１と、縁部側に第２のシール線Ｌ２とを設け、そのシール線がシール部１ａ，２ａと非シール部１ｂ，２ｂとを交互に配列してなり、前記シール部と非シール部とを繰り返すパターンからなり、非シール部１ｂ，２ｂからなる通気部を持つ排気構造を有するシール形とすることにより、本発明を完成するに到った。
【００２６】
すなわち、サイドシール部の所定の長さの中央部の特殊形状からなるパターンの好ましい具体的な一例として、図３に示すように、長さｄ4が１５ｍｍ≦ｄ4≦２５ｍｍの範囲、巾ｄ5が１ｍｍ≦ｄ5≦３ｍｍの範囲のシール部１ａと、長さｄ2が３ｍｍ≦ｄ2≦７ｍｍの範囲の非シール部１ｂとを繰り返す内容物側に第１のシール線Ｌ１におけるパターンシー
ル形状と、長さｄ3が５ｍｍ≦ｄ3≦１０ｍｍの範囲で、巾ｄ5が１ｍｍ≦ｄ5≦３ｍｍの範囲のシール部２ａと、長さｄ2が３ｍｍ≦ｄ2≦７ｍｍの範囲の非シール部２ｂとを繰り返す縁部側に第２のシール線Ｌ２におけるパターンシール形状とを、第１のシール線Ｌ１のシール部１ａ―１〜３のシール部１ａ−３の上端と、第２のシール線Ｌ２のシール部２ａ―１〜３のシール部２ａ−３下端とでできる間隙ｄ7が１ｍｍ≦ｄ7≦４ｍｍの範囲で、第１のシール線Ｌ１のシール部１ａの袋外側端と第２のシール線Ｌ２のシール部２ａの袋内側端との間隔ｄ6が４ｍｍ≦ｄ6≦１３ｍｍ範囲の間隔を有するように対向させて繰り返すパターンからなる連通する通気路１ｂ，２ｂを形成した排気構造を有するシール形状である。
【００２７】
また、サイドシール部の所定の長さの中央部の特殊形状からなるパターンの具体的な他の例として、図４に示すように、長さｄ4が３５ｍｍ≦ｄ4≦４５ｍｍの範囲、巾ｄ5が１ｍｍ≦ｄ5≦３ｍｍの範囲のシール部１ａと、長さｄ2が３ｍｍ≦ｄ2≦７ｍｍの範囲の非シール部１ｂとを繰り返す内容物側に第１のシール線Ｌ１におけるパターンシール形状と、長さｄ3が５ｍｍ≦ｄ3≦１０ｍｍの範囲で、巾ｄ5が１ｍｍ≦ｄ5≦３ｍｍのシール部２ａと、長さｄ2が３ｍｍ≦ｄ2≦７ｍｍの範囲の非シール部２ｂとを繰り返す縁部側に第２のシール線Ｌ２におけるパターンシール形状とを第１のシール線Ｌ１のシール部１ａ―１〜２のシール部１ａ―２の上端と、第２のシール線Ｌ２のシール部２ａ―１〜４のシール部２ａ−１下端とでできる間隙ｄ7が１ｍｍ≦ｄ7≦４ｍｍの範囲で、第１のシール線Ｌ１のシール部１ａの袋外側端と第２のシール線Ｌ２のシール部２ａの袋内側端との間隔ｄ6が４ｍｍ≦ｄ6≦１３ｍｍ範囲の間隔を有するように対向させて繰り返すパターンからなる連通する通気路１ｂ，２ｂを形成した排気構造を有するシール形状である。
【００２８】
さらに、サイドシール部の所定の長さの中央部の特殊形状からなるパターンの具体的な別の例として、図５に示すように、長さｄ4が２５ｍｍ＜ｄ4＜３５ｍｍの範囲、巾ｄ5が１ｍｍ≦ｄ5≦３ｍｍの範囲のシール部１ａと、長さｄ2が３ｍｍ≦ｄ2≦７ｍｍの範囲の非シール部１ｂとを繰り返す内容物側に第１のシール線Ｌ１におけるパターンシール形状と、長さｄ3が５ｍｍ≦ｄ3≦１０ｍｍの範囲で、巾ｄ5が１ｍｍ≦ｄ5≦３ｍｍのシール部２ａと、長さｄ2が３ｍｍ≦ｄ2≦７ｍｍの範囲の非シール部２ｂとを繰り返す縁部側に第２のシール線Ｌ２におけるパターンシール形状とを、第１のシール線Ｌ１のシール部１ａ―１〜２のシール部１ａ―２の上端と、第２のシール線Ｌ２のシール部２ａ―１〜４のシール部２ａ−１の下端とでできる間隙ｄ7が１ｍｍ≦ｄ7≦４ｍｍの範囲、第１のシール線Ｌ１のシール部１ａの外側端と第２のシール線Ｌ２のシール部２ａの内側端との間隔ｄ6が４ｍｍ≦ｄ6≦１３ｍｍ範囲の間隔を有するように対向させて繰り返すパターンからなる連通する通気路１ｂ，２ｂを形成した排気構造を有するシール形状である。
【００２９】
さらに、本発明における好ましい一実施例としての通気性包装袋について図６および図７を参照して説明する。
【００３０】
本発明における一実施例としての通気性包装袋の一例として、図６は、通気性包装袋のサイドシール部の一部を示したもので、両サイドシール部４，４′と底縁部シール（地シール）部５と米等の穀物類を収納して密封する開口部６とから構成されており、袋外寸法が、縦５７０ｍｍ、横３６０ｍｍのサイズで、巾ｄ5が１ｍｍ≦ｄ5≦３ｍｍの範囲の３本の直線状シール線３−１，３−２，３−３からなる通常の直線状シール部３を設けた上端部Ｕおよび下端部Ｄが、各々１５０ｍｍ、長さｄ4が１５ｍｍ≦ｄ4≦２５ｍｍの範囲、巾ｄ5が１ｍｍ≦ｄ5≦３ｍｍの範囲のシール部１ａと、長さｄ2が３ｍｍ≦ｄ2≦７ｍｍの範囲の非シール部１ｂとを繰り返す内容物側に第１のシール線Ｌ１におけるパターンシール形状と、長さｄ3が５ｍｍ≦ｄ3≦１０ｍｍの範囲で、巾ｄ5が１ｍｍ≦ｄ5≦３ｍｍのシール部２ａと、長さｄ2が３ｍｍ≦ｄ2≦７ｍｍの範囲の非シール部２ｂとを繰り返す縁部側に第２のシール線Ｌ２におけるパターンシール形状とを、第１のシール線Ｌ１のシール部
１ａ―１〜３のシール部１ａ−３の下端と、第２のシール線Ｌ２のシール部２ａ―１〜６のシール部２ａ−６上端とでできる間隙ｄ7が１ｍｍ≦ｄ7≦４ｍｍの範囲、第１のシール線Ｌ１のシール部１ａの袋外側端と第２のシール線Ｌ２のシール部２ａの袋内側端との間隔ｄ6が４ｍｍ≦ｄ6≦１３ｍｍ範囲の間隔を有するように対向させて繰り返すパターンからなる連通する通気路１ｂ，２ｂを形成し、第１のシール線Ｌ１の非シール部１ｂが１１箇所、第２のシール線Ｌ２の非シール部２ｂが２１箇所の連通する通気路を持つ排気構造を有するシール形状である。
【００３１】
本発明における好ましい一実施例としての通気性包装袋の他の例として、図７は、通気性包装袋のサイドシール部の一部を示したもので、両サイドシール部４，４′と底縁部シール（地シール）部５と米等の穀物類を収納して密封する開口部６とから構成されており、袋外寸法が、縦５７０ｍｍ、横３６０ｍｍのサイズで、巾ｄ5が１ｍｍ≦ｄ5≦３ｍｍの範囲の３本の直線状シール線３−１，３−２，３−３からなる通常の直線状シール部３を設けた上端部Ｕおよび下端部Ｄが、各々１５０ｍｍ、長さｄ4が３５ｍｍ≦ｄ4≦４５ｍｍの範囲、巾ｄ５が１ｍｍ≦ｄ5≦３ｍｍの範囲のシール部１ａと、長さｄ2が３ｍｍ≦ｄ2≦７ｍｍの範囲の非シール部１ｂとを繰り返す内容物側に第１のシール線Ｌ１におけるパターンシール形状と、長さｄ3が５ｍｍ≦ｄ3≦１０ｍｍの範囲で、巾ｄ5が１ｍｍ≦ｄ5≦３ｍｍのシール部２ａと、長さｄ2が３ｍｍ≦ｄ2≦７ｍｍの範囲の非シール部２ｂとを繰り返す縁部側に第２のシール線Ｌ２におけるパターンシール形状とを、第１のシール線Ｌ１のシール部１ａ―１〜２のシール部１ａ―２の下端と、第２のシール線Ｌ２のシール部２ａ―１〜８のシール部２ａ−８の上端とでできる間隙ｄ7が１ｍｍ≦ｄ7≦４ｍｍの範囲、第１のシール線Ｌ１のシール部１ａの袋外側端と第２のシール線Ｌ２のシール部２ａの袋内側端との間隔ｄ6が４ｍｍ≦ｄ6≦１３ｍｍ範囲の間隔を有するように対向させて繰り返すパターンからなる連通する通気路１ｂ，２ｂを形成し、第１のシール線Ｌ１の非シール部１ｂが５箇所、第２のシール線Ｌ２の非シール部２ｂが２１箇所の連通する通気路を持つ排気構造を有するシール形状である。
【００３２】
本発明の通気性包装袋は、前記第１のシール線Ｌ１のシール部１ａの長さが、１５〜４５ｍｍの範囲であって、一方、前記第２のシール線Ｌ２のシール部２ａの長さが、５〜１０ｍｍであることを特徴とする通気性包装袋である。
【００３３】
本発明の通気性包装袋は、前記直線状およびパターンシール部の形状が、ほぼ矩形形状であることを特徴とする通気性包装袋である。
【００３４】
本発明の通気性包装袋は、前記サイドシール部の上端部および下端部に設けられた通常の直線状シール部が、３本の直線状シール３−１，３−２，３−３からなることを特徴とする通気性包装袋である。
【００３５】
本発明におけるサイドシール部のシール形は、各種の袋形式に適用することができるものであり、袋長手方向の両サイドに適用してもよし、いずれかの片側のみ適用しても本発明における同様の効果が得られるものである。
【００３６】
本発明の通気性包装袋を構成する袋の材質としては、耐水性と所定の内容物を収納して実際に輸送する際に破袋しないシール強度を有するものであればよく、その材質は単一素材からなるもの、共押出し法により同時製膜された複合化フィルムであってもよい。また、印刷した基材フィルムとシーラントフィルムとを接着剤を用いて積層したものであってもよいし、印刷した基材にアンカーコートを施して、熱接着性樹脂を押し出しコートしてシーラント層として積層したものであってもよい。
【００３７】
前記単一素材からなるフィルムに用いられる樹脂としては、低密度ポリエチレン、中密
度ポリエチレン、エチレン・酢酸ビニル共重合体、直鎖状低密度ポリエチレン等の各種ポリオレフィン系樹脂が挙げられる。また、共押出し法による同時製膜する場合に用いられる樹脂としても、前記の各種ポリオレフィン系樹脂を組み合わせて製膜することができる。
【００３８】
前記基材フィルムとは、強度があり、印刷適性のよいフィルムであって、具体的には、ポリエチレン、ポリプロピレン、ポリスチレン、エチレン−メタクリル酸共重合体、エチレン・酢酸ビニル共重合体、エチレン・酢酸ビニル共重合体ケン化物、エチレン−αオレフィンエラストマー、スチレンーブタジエンーアクリロニトリル共重合体、スチレンーブタジエンーアクリロニトリル共重合体、ポリアミド、ポリカーボネート、ポリスルホン、ポリアセタール、ポリメチルメタクリレート、ポリフェニレンオキシド、ポリウレタン、ポリエチレンテレフタレート、ポリブチレンテレフタレート等の樹脂を製膜してなる延伸または未延伸フィルムをあげることができる。中でも、基材フィルムとしては、ポリエチレンテレフタレート、ポリアミドからなる二軸延伸フィルムを用いることが特に望ましい。前記シーラント層を構成する樹脂としては、予め製膜されたフィルムの場合、または押し出しコートする場合、前記いずれの場合にも、具体的には、低密度ポリエチレン、エチレン・酢酸ビニル共重合体、直鎖状低密度ポリエチレン等を用いることが望ましい。
【００３９】
本発明の通気性包装袋を構成する素材としては、内面がヒートシール性を有し、耐圧性に富んだ材料であれば、特に限定されるものではなく、例えば、延伸ナイロンフィルム（ＯＮｙ）／直鎖状低密度ポリエチレンフィルム（ＬＬＤＰＥ）、ＬＬＤＰＥ／ＬＬＤＰＥなどの積層フィルムが好ましく使用できる。
【００４０】
なお、基材に必要に応じて適宜印刷層を設けることができる。印刷層としては、包装袋などとして実用的に用いるために形成されるものである。例えば、ウレタン系、アクリル系、ニトロセルロース系、ゴム系等の従来から用いられているインキバインダー樹脂に各種顔料、体質顔料及び可塑剤、乾燥剤、安定剤等の添加剤などが添加されてなるインキにより構成される層である。この印刷により、文字、絵柄等が形成されている。形成方法としては、例えばオフセット印刷法、グラビア印刷法、シルクスクリーン印刷法等の周知の印刷方式や、ロールコート、ナイフエッジコート、グラビアーコート等の周知の塗布方式を用いることができる。印刷層の乾燥膜厚（固形分）は０．１〜２．０μｍで良い。
【００４１】
内容物の充填は通常の充填・密封機を用い、前述の袋に充填していく。密封直後は残存空気で膨れているが、積重ねれば開口部から空気のみが排出され、積重ね性が改良される。あるいは、自動製袋充填機を用いて、袋体を形成するシート体として、熱可塑性樹脂等加熱融着可能なフィルムを供給しながら製袋と充填と密封を行う場合、その貼り合わせはヒートシールにより行うことができる。つまり、製袋機によりヒートシールを行う場合には、それに使用される型（即ち、シールバー）を、本発明のシール方法を実現可能な様に調整しておけば、何ら通常のシールを行うのと変わりなく容易に本発明の通気性包装袋を製造することができる。また、袋基材として複合フィルムを使用する場合、その複合フィルムは、少なくともその貼り合わせる面同士が熱可塑性樹脂の様な加熱融着可能なものであれば使用することが可能である。
【００４２】
なお、この発明の実施の形態においては、内容物として米等の穀物類を例示しているが、これに限定されず、たとえば、加工食品類、菓子類等の他の食品の袋体に、この発明を応用してもよい。また、食品等に限定されず、例えば、園芸用の土、肥料等や、ペット用の砂、えさ等の袋体に、この発明を応用してもよい。
【産業上の利用可能性】
【００４３】
米等の穀物類を収納・包装して流通、販売の過程で、パレット上に段積みする際、パレタ
イズ適性（重積み適性）に優れ、圧力がかかると自動的にスムーズにエアーが抜けることから、嵩張り、積み重ねた包装袋が不安定となり袋が滑り、荷崩れの発生防止、破袋防止効果が大きい、得意先での製袋包装機の設定が容易で切り替えが少ない、内容物の漏れがない、袋外部からの水分や埃の排気通路からの侵入がない、袋外部に排出されたエアーの逆戻りがない等の条件に適合する穀物類を収納・包装する通気性包装袋として用いられる。
【図面の簡単な説明】
【００４４】
【図１】本発明の通気性包装袋の一例を示す平面図である。
【図２】本発明の通気性包装袋の一実施例を示す平面図である。
【図３】袋長手方向のサイドシール部の所定長さの上端部および下端部の通常の直線状シール部を除く袋長手方向のサイドシール部の所定長さの中央部に設けられる連通する通気路を形成してなる特殊形状からなるパターンシール部の一例を示すパターン形状の平面図である。
【図４】袋長手方向のサイドシール部の所定長さの上端部および下端部の通常の直線状シール部を除く袋長手方向のサイドシール部の所定長さの中央部に設けられる連通する通気路を形成してなる特殊形状からなるパターンシール部の他の例を示すパターン形状の平面図である。
【図５】袋長手方向のサイドシール部の所定長さの上端部および下端部の通常の直線状シール部を除く袋長手方向のサイドシール部の所定長さの中央部に設けられる連通する通気路を形成してなる特殊形状からなるパターンシール部のさらに別の例を示すパターン形状の平面図である。
【図６】本発明の通気性包装袋の一実施例としてのサイドシール部の一例を示す平面図である。
【図７】本発明の通気性包装袋の一実施例としてのサイドシール部の他の例を示す平面図である。
【図８】従来の通気性包装袋の一例を示す平面図である。
【図９】従来の通気性包装袋の他の例を示す平面図である。
【図１０】従来の通気性包装袋のさらに別の例を示す平面図である。
【符号の説明】
【００４５】
１ａ、２ａ・・・パターンシール部
１ｂ、２ｂ・・・非シール部
３−１、３−２、３−３・・・直線シール部
４、４′・・・サイドシール部
５・・・地シール部（底縁シール部）
６・・・開口部
Ｌ１・・・第１のシール線
Ｌ２・・・第２のシール線
Ｕ・・・サイドシール部上端部
Ｃ・・・サイドシール部中央部
Ｄ・・・サイドシール部下端部
７・・・通気路
８・・・側縁シール帯
８−１・・・内シール帯
８−２・・・外シール帯
９、１０・・・脱気口
１１・・・空洞部
１２・・・貼着条
１２ａ・・・内貼着条
１２ｂ・・・外貼着条
１３ａ、１３ｂ・・・通気口
１４・・・フィルム材
１５、１６・・・熱溶着部
１７・・・非熱溶着部（通気路）
Ａ１、Ａ２、Ｂ、Ｅ、Ｆ・・・通気性包装袋
ｄ1〜ｄ7・・・寸法
【図１】
2005206183.tif 000003
【図２】
2005206183.tif 000004
【図３】
2005206183.tif 000005
【図４】
2005206183.tif 000006
【図５】
2005206183.tif 000007
【図６】
2005206183.tif 000008
【図７】
2005206183.tif 000009
【図８】
2005206183.tif 000010
【図９】
2005206183.tif 000011
【図１０】
2005206183.tif 000012